(57)【要約】      （修正有）【課題】社会的つながりに基づいて１又はそれ以上のメディアファイルのネットワークアドレス可能なコレクションを構築するための方法及び装置を提供する。【解決手段】イベントに関連するコレクションを構築するための要求をユーザから受け取るステップと、コレクションとともに記憶すべきコンテンツをユーザから受け取るステップとを含み、このコレクションは、ユーザにより提供されたコンテンツのためのユーザインターフェイスを提供するように構成されたネットワークアドレス可能サイトに関連し、この方法は、１又はそれ以上の参加ユーザの識別情報をユーザから受け取るステップと、コレクション内に記憶されたコンテンツのグラフィック表現などのグラフィック表示を含む通知を１又はそれ以上の参加ユーザへ送信するステップとをさらに含む。【選択図】なし【特許請求の範囲】
【請求項１】
社会的つながりに基づいて１又はそれ以上のメディアファイルのネットワークアドレス可能なコレクションを構築する方法であって、
イベントに関連するコレクションを構築するための要求をサーバによってユーザから受け取るステップを含み、前記コレクションは、前記ユーザにより提供されたコンテンツのためのユーザインターフェイスを提供するように構成されたネットワークアドレス可能サイトに関連し、
前記コレクションとともに記憶すべきコンテンツを前記サーバによって前記ユーザから受け取るステップと、
１又はそれ以上の参加ユーザの識別情報を前記ユーザから受け取るステップと、
前記コレクション内に記憶された前記コンテンツのグラフィック表現などのグラフィック表示を含む通知を前記１又はそれ以上の参加ユーザへ送信するステップと、
をさらに含むことを特徴とする方法。
【請求項２】
前記要求が、前記ユーザに関連する装置のアプリケーションにより生成される、
ことを特徴とする請求項１に記載の方法。
【請求項３】
前記コレクションが、１又はそれ以上の参加ユーザに関連するコンテンツを記憶するように構成される、
ことを特徴とする請求項１に記載の方法。
【請求項４】
前記コレクションが、１又はそれ以上のイベントに関連するコンテンツを記憶することができる、
ことを特徴とする請求項１に記載の方法。
【請求項５】
コンテンツが、一般に画像データ、ビデオデータ、音声データ、電子ブックデータ、再生リストデータ、及びメディアデータのうちの１又はそれ以上に関連する、
ことを特徴とする請求項１に記載の方法。
【請求項６】
前記識別情報が、前記１又はそれ以上の参加ユーザの電子アドレスに関連し、前記通知が、前記識別情報に基づいて前記１又はそれ以上の参加ユーザへ送信される、
ことを特徴とする請求項１に記載の方法。
【請求項７】
前記１又はそれ以上の参加ユーザが、前記ユーザとの社会的つながり、及びイベントにおける存在の一方又は両方に基づいて選択される、
ことを特徴とする請求項１に記載の方法。
【請求項８】
前記ユーザから追加のコンテンツを受け取って、該追加のコンテンツを識別する新たな通知を前記１又はそれ以上の参加ユーザへ送信するステップをさらに含む、
ことを特徴とする請求項１に記載の方法。
【請求項９】
前記コレクションとともに記憶するためのコンテンツを前記サーバによって参加ユーザから受け取るステップをさらに含む、
ことを特徴とする請求項１に記載の方法。
【請求項１０】
社会的つながりに基づいて１又はそれ以上のメディアファイルのネットワークアドレス可能なコレクションを構築するためのコンピュータ実行可能コードを含む、コンピュータ可読媒体に記憶されたコンピュータプログラム製品であって、該コンピュータプログラム製品が、
ユーザによるキャラクタ入力を可能にするアプリケーションのユーザ選択を検出するためのコンピュータ可読コードと、
イベントに関連するコレクションを構築するための要求をユーザから受け取るためのコンピュータ可読コードと、
を含み、前記コレクションは、前記ユーザにより提供されたコンテンツのためのユーザインターフェイスを提供するように構成されたネットワークアドレス可能サイトに関連し、
前記コレクションとともに記憶すべきコンテンツを前記ユーザから受け取るためのコンピュータ可読コードと、
１又はそれ以上の参加ユーザの識別情報を前記ユーザから受け取るためのコンピュータ可読コードと、
前記コレクション内に記憶された前記コンテンツのグラフィック表現などのグラフィック表示を含む通知を前記１又はそれ以上の参加ユーザへ送信するためのコンピュータ可読コードと、
をさらに含むことを特徴とするコンピュータプログラム製品。
【請求項１１】
前記要求が、前記ユーザに関連する装置のアプリケーションにより生成される、
ことを特徴とする請求項１０に記載のコンピュータプログラム製品。
【請求項１２】
前記コレクションが、１又はそれ以上の参加ユーザに関連するコンテンツを記憶するように構成される、
ことを特徴とする請求項１０に記載のコンピュータプログラム製品。
【請求項１３】
前記コレクションが、１又はそれ以上のイベントに関連するコンテンツを記憶することができる、
ことを特徴とする請求項１０に記載のコンピュータプログラム製品。
【請求項１４】
コンテンツが、一般に画像データ、ビデオデータ、音声データ、電子ブックデータ、再生リストデータ、及びメディアデータのうちの１又はそれ以上に関連する、
ことを特徴とする請求項１０に記載のコンピュータプログラム製品。
【請求項１５】
前記識別情報が、前記１又はそれ以上の参加ユーザの電子アドレスに関連し、前記通知が、前記識別情報に基づいて前記１又はそれ以上の参加ユーザへ送信される、
ことを特徴とする請求項１０に記載のコンピュータプログラム製品。
【請求項１６】
前記１又はそれ以上の参加ユーザが、前記ユーザとの社会的つながり、及びイベントにおける存在の一方又は両方に基づいて選択される、
ことを特徴とする請求項１０に記載のコンピュータプログラム製品。
【請求項１７】
前記ユーザから追加のコンテンツを受け取って、該追加のコンテンツを識別する新たな通知を前記１又はそれ以上の参加ユーザへ送信するためのコンピュータ可読コードをさらに含む、
ことを特徴とする請求項１０に記載のコンピュータプログラム製品。
【請求項１８】
前記コレクションとともに記憶するためのコンテンツを参加ユーザから受け取るためのコンピュータ可読コードをさらに含む、
ことを特徴とする請求項１０に記載のコンピュータプログラム製品。
【請求項１９】
ユーザ装置と、
社会的つながりに基づいて１又はそれ以上のメディアファイルのネットワークアドレス可能なコレクションを構築するように構成されたサーバと、
を備え、前記サーバが、
イベントに関連するコレクションを構築するための要求をユーザから受け取るように構成され、前記コレクションは、前記ユーザにより提供されたコンテンツのためのユーザインターフェイスを提供するように構成されたネットワークアドレス可能サイトに関連し、
前記コレクションとともに記憶すべきコンテンツを前記ユーザから受け取り、
１又はそれ以上の参加ユーザの識別情報を前記ユーザから受け取り、
前記コレクション内に記憶された前記コンテンツのグラフィック表現などのグラフィック表示を含む通知を前記１又はそれ以上の参加ユーザへ送信する、
ようにさらに構成される、
ことを特徴とするシステム。
【請求項２０】
前記要求が、前記ユーザ装置のアプリケーションにより生成される、
ことを特徴とする請求項１９に記載のシステム。
【請求項２１】
前記コレクションが、１又はそれ以上の参加ユーザに関連するコンテンツを記憶するように構成される、
ことを特徴とする請求項１９に記載のシステム。
【請求項２２】
前記コレクションが、１又はそれ以上のイベントに関連するコンテンツを記憶することができる、
ことを特徴とする請求項１９に記載のシステム。
【請求項２３】
コンテンツが、一般に画像データ、ビデオデータ、音声データ、電子ブックデータ、再生リストデータ、及びメディアデータのうちの１又はそれ以上に関連する、
ことを特徴とする請求項１９に記載のシステム。
【請求項２４】
前記識別情報が、前記１又はそれ以上の参加ユーザの電子アドレスに関連し、前記通知が、前記識別情報に基づいて前記１又はそれ以上の参加ユーザへ送信される、
ことを特徴とする請求項１９に記載のシステム。
【請求項２５】
前記１又はそれ以上の参加ユーザが、前記ユーザとの社会的つながり、及びイベントにおける存在の一方又は両方に基づいて選択される、
ことを特徴とする請求項１９に記載のシステム。
【請求項２６】
前記サーバが、前記ユーザから追加のコンテンツを受け取って、該追加のコンテンツを識別する新たな通知を前記１又はそれ以上の参加ユーザへ送信するようにさらに構成される、
ことを特徴とする請求項１９に記載のシステム。
【請求項２７】
前記サーバが、前記コレクションとともに記憶するためのコンテンツを参加ユーザから受け取るようにさらに構成される、
ことを特徴とする請求項１９に記載のシステム。
【発明の詳細な説明】
【技術分野】
【０００１】
本特許文献は、一般にコンテンツの共有に関し、より詳細には、ソーシャルコレクションに基づいてメディアファイルのネットワークアドレス可能なコレクションを構築するためのシステム及び方法に関する。
【背景技術】
【０００２】
ネットワークベースのアプリケーションは、メディア共有、ソーシャルネットワーキング、娯楽などの多くのサービスを提供する。ネットワークベースのアプリケーションの１つの利点は、コンテンツを共有する能力である。例えば、（ｅメールなどの）電子メールでは、コンテンツを１又はそれ以上の受信者へ配信することができる。しかしながら、この種のネットワーク通信では、コンテンツの修正及び／又は一旦送信したメッセージへのコンテンツの追加が制限される。さらなる例として、多くのソーシャルネットワーキングサイトでは、ユーザがソーシャルネットワーキングサイトの他のメンバーとコンテンツを共有することができる。これらの従来のアプリケーションの難点の１つは、ネットワーキングサイトの非メンバーとコンテンツを共有できないことである。同様に、異なるソーシャルネットワーキングアプリケーションを使用する他者とコンテンツを共有することも困難である。さらに、これらの従来のアプリケーションでは、ソーシャルネットワーキングサイトにコンテンツをアップロードできる一方で、愛好者又は仲間のリストを管理するように指示される。多くの消費者は、上述した難点の１又はそれ以上を伴わないコンテンツ共有を可能にするアプリケーションを望んでいる。
【発明の概要】
【課題を解決するための手段】
【０００３】
本明細書では、社会的つながりに基づいて１又はそれ以上のメディアファイルのネットワークアドレス可能なコレクションを構築するための方法及び装置を開示し、これについて特許請求する。１つの実施形態では、方法が、イベントに関連するコレクションを構築するための要求をサーバによってユーザから受け取るステップを含み、このコレクションは、ユーザにより提供されたコンテンツのためのユーザインターフェイスを提供するように構成されたネットワークアドレス可能サイトに関連する。この方法は、コレクションとともに記憶すべきコンテンツをサーバによってユーザから受け取るステップと、１又はそれ以上の参加ユーザの識別情報をユーザから受け取るステップと、コレクション内に記憶されたコンテンツのグラフィック表現などのグラフィック表示を含む通知を１又はそれ以上の参加ユーザへ送信するステップとをさらに含む。
【０００４】
当業者には、以下の特許文献の詳細な説明に照らして本特許文献のその他の態様、特徴、及び技法が明らかになるであろう。
【０００５】
以下に示す詳細な説明を、全体を通じて同様の参照文字が対応する部分を示す図面とともに読めば、本開示の特徴、目的、及び利点がより明らかになるであろう。
【図面の簡単な説明】
【０００６】
【図１】１つの実施形態による単純化したシステム図である。
【図２】１つの実施形態による、メディアファイルのネットワークアドレス可能なコレクションを構築するための処理を示す図である。
【図３】１つの実施形態による装置の簡略ブロック図である。
【図４】１つの実施形態による、図３の装置によってコレクションにメディアを提供するための処理を示す図である。
【図５】１又はそれ以上の実施形態による、コレクションアプリケーションのユーザインターフェイスのグラフィック表現である。
【図６】別の実施形態による、ソーシャルコレクションアプリケーションのユーザインターフェイスのグラフィック表現である。
【発明を実施するための形態】
【０００７】
概観及び用語
１つの実施形態は、１又はそれ以上のユーザに関連するコンテンツを収集することに関する。１つの実施形態では、ユーザがコレクションを作成できるようにするためのシステム及び方法を提供する。本明細書でのコレクションは、コンテンツのためのユーザインターフェイスを提供するように構成されたネットワークアドレス可能サイトに関連することができる。１又はそれ以上のコレクションの管理、修正、及び構築を可能にするサーバに個々のコレクションを関連付けることができる。コレクションは、ユーザが１又はそれ以上の社会的つながりに基づいて構築することができ、従ってソーシャルコレクションアプリケーションに関連することができる。ユーザは、コレクションの参加者又は参加ユーザ、及びコレクションの１又はそれ以上の設定を指定して、参加者のアクセス及び参加者による寄与のタイプを制御することができる。別の実施形態によれば、コレクションがイベントに基づくことができ、コレクションに関連するコンテンツは、１又はそれ以上の参加者が参加したかもしれない又は関連する特定のイベントに基づくことができる。
【０００８】
本明細書で説明するシステム及び方法の１つの利点は、ユーザ及び／又は参加者が、特定のソーシャルネットワーキングアプリケーション又はサービスのメンバーになる必要がないという点である。従って、ユーザは、ソーシャルネットワーキングサービスなどの特定のネットワーキングサイトのメンバーになる必要なくコンテンツを共有して修正することができる。
【０００９】
１つの実施形態では、ユーザがコレクションを構築し、管理し、これにアクセスできるようにするシステムを提供することができる。このシステムはさらに、（ユーザに招待された参加者などの）他のユーザがコレクションにアクセスしてこれを修正できるようにすることもできる。コレクションは、ネットワークアドレス可能サイトに関連することができる。しかしながら、他の実施形態では、システムが、装置への通知（一般にｅメールなどの電子通信）を介して１又はそれ以上の参加者にグラフィックユーザインターフェイスを配信するように構成されたサーバを含むことができる。
【００１０】
別の実施形態によれば、コレクションを構築し、これにアクセスして管理するための１又はそれ以上の処理が提供される。コレクションを構築するための処理は、ユーザの入力データに基づいてサーバが提供することができる。別の実施形態によれば、コレクションを構築するための処理を、コレクションアプリケーションを実行する装置を介してユーザに提供することができる。
【００１１】
本明細書で使用する「１つの（英文不定冠詞）」という用語は、１又は１よりも多くを意味するものとする。「複数の」という用語は、２又は２よりも多くを意味するものとする。「別の」という用語は、第２の又はそれ以上の、と定義される。「含む（ｉｎｃｌｕｄｉｎｇ）」及び／又は「有する（ｈａｖｉｎｇ）」という用語には（備える（ｃｏｍｐｒｉｓｉｎｇ）と同様に）制限がない。本明細書で使用する「又は」という用語は包括的なものとして解釈すべきであり、すなわちいずれか１つ又はあらゆる組み合わせを意味する。従って、「Ａ、Ｂ又はＣ」は、「Ａ、Ｂ、Ｃ、ＡとＢ、ＡとＣ、ＢとＣ、ＡとＢとＣ、のいずれか」を意味する。この定義に対する例外は、要素、機能、ステップ又は行為の組み合わせが何らかの点で本質的に互いに相容れない場合にのみ生じる。
【００１２】
本明細書を通じて、「１つの実施形態」、「いくつかの実施形態」、「ある実施形態」、又は同様の用語への言及は、実施形態に関連して説明する特定の特徴、構造又は特性が、本発明の少なくとも１つの実施形態に含まれることを意味する。従って、本明細書を通じて至るところに出現するこのような語句は、必ずしも全てが同じ実施形態について言及するものではない。さらに、上記の特定の特徴、構造又は特性を、１又はそれ以上の実施形態にあらゆる好適な態様で制限なく組み合わせることができる。
【００１３】
コンピュータプログラミングの当業者の手法に従って、以下、コンピュータシステム又は同様の電子システムにより実行される動作を参照しながら本発明について説明する。このような動作を、コンピュータ実行型と呼ぶこともある。なお、符号で表される動作として、中央処理装置などのプロセッサによるデータビットを表す電気信号の操作、及びシステムメモリ内などの記憶場所におけるデータビットの保持、並びにその他の信号の処理が挙げられる。データビットを保持する記憶場所とは、データビットに対応する特定の電気的、磁気的、光学的、又は有機的特性を有する物理的場所のことである。
【００１４】
ソフトウェアの形で実現される場合、基本的に本発明の要素は、必要なタスクを行うためのコードセグメントである。このコードセグメントは、情報を記憶できるあらゆる媒体を含むことができるプロセッサ可読媒体に記憶することができる。プロセッサ可読媒体の例として、電子回路、半導体メモリ装置、読み出し専用メモリ（ＲＯＭ）、フラッシュメモリ又はその他の不揮発性メモリ、フロッピー（登録商標）ディスケット、ＣＤ−ＲＯＭ、光ディスク、ハードディスクなどが挙げられる。
【００１５】
例示的な実施形態
ここで図を参照すると、図１には、１又はそれ以上の実施形態による単純化したシステム図を示している。１つの実施形態では、システム１００を、コレクションに関連するデータを生成、管理、保持、及び配信するように構成することができる。図１に示すように、システム１００は、サーバ１０５、通信ネットワーク１１０、及びユーザ装置１１５を含む。
【００１６】
サーバ１０５は、１又はそれ以上のネットワークアドレス可能なコレクションを生成して提供するように構成することができる。例えば、サーバ１０５により、ユーザのために１又はそれ以上のコレクションを生成することができる。１つの実施形態では、サーバ１０５を、コレクションデータを生成するためのアプリケーションをホストするように構成することができる。別の実施形態によれば、ユーザ装置１１５を使用するユーザを、コレクションアプリケーションに基づいてサーバ１０５にデータを提供するように構成することができる。いくつかの実施形態では、ユーザ装置１１５を、コレクションアプリケーションを記憶して実行するように構成することができる。通信ネットワーク１１０は、有線及び無線通信の一方又は両方を可能にすることができる。例えば、通信ネットワークは、以下に限定されるわけではないが、ＬＡＮ、ＷＡＮ、Ｗｉ−Ｆｉなどのネットワークベースの通信を可能にすることができる。
【００１７】
ユーザ装置１１５は、一般にアプリケーションを実行し、通信ネットワーク１１０を介して通信するように構成されたパーソナルコンピュータ又は装置に関連することができる。１つの実施形態では、ユーザ装置１１５が、一般に１又はそれ以上の画像データ、音声データ、ビデオデータ、再生リストデータ、電子ブックデータ、及びメディアデータなどのコンテンツを含むことができ、或いはユーザ装置１１５を、これらのコンテンツをユーザから受け取るように構成することができる。
【００１８】
図１に示すように、システム１００は、複数の装置１２０1〜nを含むことができる。装置１２０1〜nは、コレクションの１又はそれ以上の参加者に関連する装置に関連することができる。以下で図２を参照しながらより詳細に説明するように、サーバ１０５を、装置１２０1〜nに関連する１又はそれ以上の参加者へ通知を送信するように構成することができる。いくつかの実施形態では、サーバ１０５を、コレクションに関連するデータを装置１２０1〜nへ送信するように構成することができる。
【００１９】
別の実施形態によれば、システム１００が、１２５として示す１又はそれ以上のサードパーティサーバを使用することができる。サードパーティサーバ１２５は、コレクションアプリケーションをホストし、１又はそれ以上のコレクションに関連するデータをさらに管理して配信するように構成することができる。別の実施形態によれば、サードパーティサーバ１２５が、クラウドコンピュータサーバに関連することができる。
【００２０】
ここで図２を参照すると、１又はそれ以上の実施形態による、社会的つながりに基づいて１又はそれ以上のメディアファイルのネットワークアドレス可能なコレクションを構築するための処理を示している。処理２００を図１のサーバが使用してコレクションを構築することができる。処理２００は、ブロック２０５において、イベントに関連するコレクションを構築するための要求をサーバがユーザから受け取ることにより開始することができる。１つの実施形態によれば、コレクションが、ユーザにより提供されたコンテンツのためのユーザインターフェイスを提供するように構成されたネットワークアドレス可能サイトに関連することができる。要求は、ユーザに関連する装置のアプリケーションによって生成することができる。コレクションは、ユーザ及び／又はユーザが選択した１又はそれ以上の参加者に関連するコンテンツを記憶するように構築することができる。１つの実施形態では、社会的つながりに基づいて参加者をユーザに関連付けることができる。
【００２１】
ブロック２１０において、サーバが、コレクションとともに記憶すべきコンテンツをユーザから受け取ることができる。サーバが記憶するコレクションのためのコンテンツは、１又はそれ以上のイベントに関連することができる。コンテンツは、一般に１又はそれ以上の画像データ、ビデオデータ、音声データ、電子ブックデータ、再生リストデータ、及びメディアデータに関連することができる。
【００２２】
ブロック２１５において、サーバが、１又はそれ以上の参加ユーザの識別情報をユーザから受け取ることができる。識別情報は、１又はそれ以上の参加ユーザの電子アドレスに関連することができる。ユーザは、ユーザとの社会的つながり及びイベントにおける存在の一方又は両方に基づいて１又はそれ以上の参加ユーザを選択することができる。その後、処理２００はブロック２２０に続き、ここでサーバが１又はそれ以上の参加ユーザへ通知を送信することができる。この通知は、コレクションに記憶されたコンテンツのグラフィック表現などのグラフィック表示を含むことができる。別の実施形態によれば、この通知を、識別情報に基づいて１又はそれ以上の参加ユーザへ送信することができる。通知は、ｅメールなどの電子送信、及び／又はユーザ装置上にネットワークアドレス可能サイトを立ち上げるように構成された通知に関連することができる。
【００２３】
図２には示していないが、処理２００は、ユーザから追加のコンテンツを受け取るステップを含むことができると理解することができる。サーバは、追加のコンテンツを受け取ることができたことに基づいて、追加のコンテンツを識別する新たな通知を１又はそれ以上の参加ユーザへ送信することができる。さらに、サーバを、コレクションとともに記憶するためのコンテンツを参加ユーザから受け取るように構成することができる。この参加者データを、コレクションに関連する１又はそれ以上の装置へさらに送信することができる。
【００２４】
以上、コレクションの構築を参照しながら処理２００について説明したが、サーバは、処理２００に基づいて他の種類のデータ及び／又はファイルを管理することもできる。例えば、他の装置が処理２００を同様に使用することもできる。
【００２５】
図３は、１つの実施形態による装置の簡略ブロック図である。１つの実施形態では、装置３００が図１のユーザ装置に関連する。装置３００は、（ユーザ装置１１５などの）ユーザ装置に関連することができ、またコレクションに関連するデータを含むオーディオ及び／又はビデオを出力するように構成することもできる。別の実施形態によれば、装置３００が、ユーザが（サーバ１０５などの）サーバに１又はそれ以上のメディアファイルを提供して、１又はそれ以上のコレクションに関連するユーザインターフェイスを見るために使用できるコレクションアプリケーションを実行することができる。装置３００は、パーソナルコンピュータ装置に関連することができる。別の実施形態によれば、装置３００が、一般に画像処理装置、個人用通信装置、電子リーダ、メディアプレイヤ、及びメディアデバイスのうちの１つに関連することができる。装置３００がコレクションアプリケーションを実行する場合、この装置を、ユーザの社会的つながりに関連する（ｅメールなどの）電子アドレスに基づいてユーザのソーシャルネットワークを認識するように構成することができる。別の実施形態によれば、コレクションにアクセスするように構成された装置に割り当てられた識別番号に基づいて参加者を識別することができる。
【００２６】
図３に示すように、装置３００は、プロセッサ３０５、メモリ３１０、入力／出力（Ｉ／Ｏ）インターフェイス３１５、ネットワーク通信インターフェイス３２０、及びディスプレイ３２５を含む。プロセッサ３０５は、メモリ３１０に記憶された１又はそれ以上のコンピュータ実行可能命令に基づいて装置３００の処理を制御するように構成することができる。メモリ３１０は、ＲＡＭ及びＲＯＭメモリの一方に関連することができ、また１又はそれ以上のメディアファイル、コンテンツ、及び装置３００を動作させるためのコンピュータ実行可能命令を記憶するように構成することができる。プロセッサ３０５は、１又はそれ以上のアプリケーションを実行するようにさらに構成することができる。
【００２７】
Ｉ／Ｏインターフェイス３１５は、テンキー、音量調節、チャネル制御、メニュー制御、ポインティングデバイス、トラックボール、モード選択ボタン、及び（再生、停止、一時停止、早送り、逆送り、スローモーションなどの）再生機能などの、ユーザ入力のための１又はそれ以上のボタンを含むことができる。Ｉ／Ｏインターフェイス３１５のボタンは、ハードボタン及びソフトボタンを含むことができ、ソフトボタンの機能は、装置３００で実行される１又はそれ以上のアプリケーションに基づくことができる。Ｉ／Ｏインターフェイス３１５は、１又はそれ以上の装置が有線又は無線通信を介して装置３００と通信することを可能にするように構成することができる。Ｉ／Ｏインターフェイス３１５は、取り外し可能メモリ用のポートなどの、データを受け取るための１又はそれ以上のポートを含むことができる。
【００２８】
ネットワーク通信インターフェイス３２０は、以下に限定されるわけではないが、ＬＡＮ、ＷＡＮ、Ｗｉ−Ｆｉなどのネットワークベースの通信を可能にするように構成することができる。１つの実施形態では、通信インターフェイス３２０を、サーバが記憶したコレクションにアクセスするように構成することができる。ディスプレイ３２５は、画像及び／又はビデオデータを表示するとともに、プロセッサ３０５が実行する１又はそれ以上のアプリケーションを表示するために使用することができる。
【００２９】
ここで図４を参照すると、図３の装置によってコレクションにメディアを提供するための処理を示している。１つの実施形態では、処理４００を、（通信ネットワーク１１０などの）通信ネットワークと通信するように構成されたユーザ装置によって実行することができる。処理４００は、ブロック４０５において、ユーザ装置上にコレクションアプリケーションを立ち上げることにより開始することができる。以下で図５を参照しながらより詳細に説明するように、このコレクションアプリケーションによってユーザインターフェイスを表示することができる。コレクションアプリケーションでは、ユーザが、コレクションを構築し、新たなコレクションを生成し、及び／又は構築したコレクションにメディアを追加することができる。１つの実施形態では、コレクションアプリケーションを使用して、ユーザがコレクションのためのメディア及び１又はそれ以上の参加者を選択することができる。従って、処理４００では、ブロック４１０においてメディアの識別情報を受け取ることができる。１つの実施形態では、ユーザ装置がパーソナルコンピュータ装置に関連し、メディアの識別情報が、この装置に記憶されたメディアに関連できるようにすることができる。別の実施形態によれば、ユーザがメディアの記憶位置を提供することによってメディアの識別情報を受け取ることができる。その後、ブロック４１５において、ユーザ装置が、識別したメディアを（サーバ１０５などの）コレクションサーバへ送信することができる。処理４００は、ユーザがソーシャルコレクションにいつメディアを追加したかを検出するステップをさらに含むことができる。例えば、ユーザは、装置上のコレクションアプリケーションのユーザインターフェイスを介して１又はそれ以上のメディアファイルを追加することができる。装置は、ブロック４１５において、追加されたメディアを検出することができ、ブロック４３０において、追加されたメディアデータをコレクションサーバへ送信することができる。このようにして、ユーザは、コレクションに関連するメディアを更新することができる。なお、処理４００を同様に使用して、ユーザがユーザ装置上で行ったコレクションへの変更を検出することもできる。
【００３０】
ここで図５を参照すると、コレクションアプリケーションのユーザインターフェイスのグラフィック表現を示している。ユーザインターフェイス５００は、ユーザがコレクションを構築及び／又は管理するためのグラフィックインターフェイスに関連することができる。１つの実施形態では、コレクションを構築する要求を生成するために、ユーザ装置がユーザインターフェイス５００を表示することができる。ユーザインターフェイス５００は、複数のテキストボックス及び／又はドロップダウンメニューを含むことができる。図５に示すように、ユーザインターフェイス５００は、ユーザがコレクションの名前を指定できるようにするためのテキストボックス５１０を含むことができる。同様に、テキストボックス５１５を使用して、コレクションの説明を提供することができる。いくつかの実施形態では、コレクションをパスワード保護することができる。例えば、コレクションの修正及び／又は閲覧に正しいパスワードを必要とすることができる。従って、ユーザインターフェイス５００は、ユーザがコレクションパスワードの指定及び確認を行えるようにするためのテキストボックス５２０及び５２５をそれぞれ含むことができる。
【００３１】
別の実施形態によれば、コレクションをプライバシー設定によって保護することができる。例えば、１つの実施形態では、ユーザが、ユーザが選択した参加者のみによって閲覧可能及び／又は修正可能としてコレクションを設定することができる。別の実施形態によれば、ユーザが、公的に、又はソーシャルネットワークを介してユーザに関連するメンバーによってのみ閲覧可能としてコレクションを設定することができる。このように、ドロップダウンメニュー５３０を使用して、コレクションのプライバシー設定を設定することができる。別の実施形態によれば、コレクションに追加された１又はそれ以上のメディアファイルを、プライバシー制限を有するように個別に選択又は設定することができる。ユーザインターフェイス５００はさらに、ユーザがコレクションのデジタル資産タイプを定義できるようにすることができる。ドロップダウンメニュー５３５には、以下に限定されるわけではないが、（画像、ビデオ音楽などの）１つの種類のメディア及び異なる種類のメディアの選択などの１又はそれ以上のオプションのリストを表示することができる。
【００３２】
１つの実施形態によれば、ユーザインターフェイス５００を使用して、ユーザに関連する１又はそれ以上のコレクションを構築して管理することができる。ユーザインターフェイス５００は、ユーザが以前に構築した可能性のある１又はそれ以上のコレクションのグラフィック要素を含むことができる。これらのコレクションに関連するデータを使用して新たなコレクションを構築し、及び／又はコレクションへの追加を行うことができる。図５に示すように、ユーザは、５４０として示すユーザ選択のためのグラフィック要素を表示することができる特定のコレクションを選択することができる。ユーザインターフェイス５００には、例えば共有イベント５８０の選択を示しているが、他のコレクションの選択も同様に管理することができる。グラフィック表示５４０は、１又はそれ以上の参加者に関連する５４５として示すグラフィック要素、及び５５０として示す選択ボックスを含む。参加者グラフィック要素５４５は、ユーザのソーシャルネットワーク内の参加者などの、ユーザに関連する参加者に関連することができる。ユーザは、選択ボックス５５０を選択することにより、コレクションとともに含めるべき参加者を選択することができる。ユーザは、選択ボックス５５０を選択しないことにより、コレクションから参加者を排除することができる。グラフィック表示５４０は、チェックボックス５６０を含む、参加者のグループを選択するための５５５として示すグラフィック要素をさらに含むことができる。グループ要素５５５は、ユーザがグループに割り当てられた１又はそれ以上の参加者を選択するために選択することができる。いくつかの実施形態では、ユーザインターフェイス５００内に１又はそれ以上の追加のグループ要素を表示して、ユーザが選択できるようにすることができる。１つの実施形態では、グラフィック表示を、他の参加者及び／又は参加者グループを選択するためにスクロール可能にすることができる。
【００３３】
別の実施形態によれば、ユーザインターフェイス５００が、５６５として示す１又はそれ以上のコレクションのグラフィック表示を含むことができる。コレクション５６５は、過去のイベント５７０、将来のイベント５７５、及び共有イベント５８０のためのグラフィック要素を含むことができる。ユーザインターフェイス５００は、コレクションのユーザ選択に基づいて、ユーザがコレクションを修正又は削除できるようにすることができる。
【００３４】
ここで図６を参照すると、別の実施形態による、コレクションアプリケーションのユーザインターフェイスのグラフィック表現を示している。ユーザインターフェイス６００は、１又はそれ以上のメディアファイル、参加者及びコレクションのグラフィック表現に関連することができる。ユーザインターフェイス６００は、ネットワークアドレス可能なコレクションに関連するデータにアクセスするために使用することができる。１つの実施形態では、コレクションを見るための装置によってユーザインターフェイス６００を表示することができる。別の実施形態によれば、コレクションを見るためにユーザインターフェイスを参加者へ送信することができる。ユーザインターフェイス６００を使用してユーザ又は参加者がコレクションを修正できることも理解することができる。
【００３５】
図６に示すように、ユーザインターフェイス６００は、１又はそれ以上の参加者及び個々の参加者に関連するコンテンツのための、６０５として示すグラフィック要素を含むことができる。特定のコレクションのためのグラフィック要素６０５を表示することができる。同様に、１又はそれ以上のコレクションためのグラフィック要素を表示することもできる。コレクションは、１又はそれ以上の異なる種類のメディアを含むことができる。例えば、参加者６１５は、画像データ６２０、電子メール６２５、チャットデータ６３０、及び一般に６４０として示すメディアを含むことができる。ユーザインターフェイス６００は、ユーザが選択できるこれらの項目の各々のためのグラフィック要素を含むことができる。ユーザインターフェイス６００は、ユーザ選択に基づいて特定の項目を表示することができる。例えば、画像６２０を選択することにより画像を表示することができる。同様に、電子メール６２５及びチャット６３０を選択することにより、個々の項目に関連するテストを表示することができる。個々の参加者に関連するコンテンツは、６４１として示すスクロール要素に基づいて見ることができる。
【００３６】
他の参加者に関連するコンテンツは、６４５及び６６０で示している。参加者６４５及び６６０は、コレクションの構築中に参加者６１５が選択することができる。参加者が提供したコンテンツは、個々の参加者に関連付けて表示することができる。例えば、参加者６４５は、画像データ６５０及びビデオデータ６５５に関連するグラフィック要素を含む。別の実施形態によれば、表示される参加者のコンテンツを、６６５で示すように単一のメディアタイプに制限することができる。１つの実施形態では、参加者が、コレクション又は所定の参加者リストに基づいてコンテンツをブロックし、及び／又はコンテンツの閲覧を制限することができる。
【００３７】
ユーザインターフェイス６００は、６１０として示すユーザに関連する１又はそれ以上のコレクションのためのグラフィック要素をさらに含むことができる。例えば、ユーザインターフェイスは、過去のイベント６７０に関連するコレクションのためのグラフィック要素、将来のイベント６７５のためのグラフィック要素、及び共有イベント６８０のためのグラフィック要素を表示することができる。
【００３８】
本開示の例示的な実施形態を参照しながら開示を具体的に図示し説明したが、当業者であれば、添付の特許請求の範囲に含まれる本開示の範囲から逸脱することなく本明細書において形式及び詳細の様々な変更を行うことができると理解するであろう。
【図１】
2012069110.tif 000002
【図２】
2012069110.tif 000003
【図３】
2012069110.tif 000004
【図４】
2012069110.tif 000005
【図５】
2012069110.tif 000006
【図６】
2012069110.tif 000007
【外国語明細書】
2012069110.tif 000008
2012069110.tif 000009
2012069110.tif 000010
2012069110.tif 000011
2012069110.tif 000012
2012069110.tif 000013
2012069110.tif 000014
2012069110.tif 000015
2012069110.tif 000016
2012069110.tif 000017
2012069110.tif 000018
2012069110.tif 000019
2012069110.tif 000020
2012069110.tif 000021
2012069110.tif 000022
2012069110.tif 000023
2012069110.tif 000024
2012069110.tif 000025
2012069110.tif 000026
2012069110.tif 000027
2012069110.tif 000028
2012069110.tif 000029